(57)【要約】【課題】異物侵入防止又は、遮熱及び遮光機能を有する建造物開口部に用いられる通気体において、安価であってしかも施工が容易であり、且つ普及している様々な大きさの網戸等にも同様な固定方法にて装着できる遮蔽部付き通気体を実現する。さらに遮蔽部の所定部位の色彩変更や、外観形状に意匠性を持たせることを可能にする。【解決手段】通気部材に、丸形断面又は異形断面を有し平面方向に延伸する長棒状部材又は丸形断面又は異形断面を有し垂直方向に突出する凸状部材を有する遮蔽部材を縦方向又は横方向に所定間隔にて備え、遮蔽部材は異物侵入防止、遮熱及び遮光機能を有する遮体部と、断面外周に通気部材をつなげる接合部にて通気部材と遮蔽部材とを一体的に形成する。また、遮蔽部材にさらに異物侵入防止、遮熱及び遮光機能を高めた意匠の異なる覆体を付帯する。【選択図】    図１５
2007254983.tif 000002
【特許請求の範囲】
【請求項１】
建造物開口部の左右縦支持部材間または、上下横支持部材間あるいは、上下枠材と左右枠材とで枠組された枠体もしくは、建造物開口部に張設して通気する通気部材にあって、通気部材（１）の表面又は裏面から、丸形断面又は異形断面を有し平面方向に延伸する長棒状部材又は、丸形断面又は異形断面を有し垂直方向に突出する凸状部材を有する遮蔽部材（２）を縦方向又は横方向に所定間隔にて備え、遮蔽部材（２）は遮体部（１７）と、断面外周に通気部材（１）とをつなげる取付部（６）とを有し、遮体部（１７）は異物侵入防止、遮熱及び遮光機能を有する部分であり、取付部（６）は通気部材（１）と遮蔽部材（２）とを接する部分であり、通気部材（１）と遮蔽部材（２）とを取付部（６）にて一体的に形成することを特徴とする遮蔽部付き通気体。
【請求項２】
建造物開口部の左右縦支持部材間または、上下横支持部材間あるいは、上下枠材と左右枠材とで枠組された枠体もしくは、建造物開口部に張設して通気する通気部材にあって、通気部材（１）の表面又は裏面から、丸形断面又は異形断面を有し平面方向に延伸する長棒状部材又は、丸形断面又は異形断面を有し垂直方向に突出する凸状部材を有する遮蔽部材（２）を縦方向又は横方向に所定の間隔にて備え、遮蔽部材（２）は遮体部（１７）又は接合部（５）と、通気部材（１）とをつなげる取付部（６）とを有し、遮体部（１７）は異物侵入防止、遮熱及び遮光機能を有する部分であり、接合部（５）は他の部品である接合して付帯部品となる覆体（３）に設けられた係止に対応する雌又は雄の嵌合又は凹凸の組み合わせ接合する部分であり、覆体（３）は遮蔽部材（２）の接合部（５）と接合し、姿勢保持して係止する係止部（１８）を有し、取付部（６）は通気部材（１）と遮蔽部材（２）とを接する部分であり、通気部材（１）と遮蔽部材（２）とを取付部（６）にて一体的に形成することを特徴とする遮蔽部付き通気体。
【請求項３】
遮体部（１７）が、通気部材（１）から表面側または裏面側に突出又は隆起する傾斜面（４）を有することを特徴とする請求項１又は２記載の遮蔽部付き通気体。
【請求項４】
通気部材（１）と遮蔽部材（２）が、折り曲げても破損しない弾性を有すること又は、刃物にて切断することが可能であることを特徴とする請求１〜３のいずれかに記載の遮蔽部付き通気体。
【請求項５】
各々の遮蔽部材（２）と通気部材（１）とをつなげる取付部（６）が少なくても２箇所以上有することを特徴とする請求項１〜４のいずれかに記載の遮蔽部付き通気体。
【請求項６】
各々の遮蔽部材（２）と通気部材（１）とを分離する際に、通気部材に損傷を与えないこと又は設定強度以上を保って分離することが可能である接合力を取付部（６）が有することを特徴とする請求項１〜５のいずれかに記載の遮蔽部付き通気体。
【請求項７】
製造後あるいは輸送時もしくは供給時に巻き込む又は、巻き戻すことを特徴とする請求項１〜６のいずれかに記載の遮蔽部付き通気体。
【発明の詳細な説明】
【技術分野】
【０００１】
本発明は、建造物開口部の複数の支持材間あるいは枠に用いられる複数の遮蔽部材を所定の間隔に備えた遮蔽部付き通気体（網体）及びこれを用いた建具に関するものである。
【背景技術】
【０００２】
建造物外部の面にルーバー又は暖簾を用いた建具の実施例があり、建造物内部と外部との換気や、調湿、調温、日光の当たりすぎ防止、防虫、防塵、防犯、防水、防風、遮熱、夜間の外部への遮光、プライバシーの保護、外観意匠の変更や、ルーバーを透過する光の変更、ルーバーを反射する部材の変更等ができるルーバーがあり、そのルーバー又は暖簾を所定の長さに設定して形成した遮蔽部付き網戸等があった。
【０００３】
一方、下記文献の実全昭６３−１７３４９９に示すように網体に添着層を設けて所定の図柄を表現するデザイン網戸とする文献が知られている。
【０００４】
【特許文献１】実全昭６３−１７３４９９
【発明の開示】
【発明が解決しようとする課題】
【０００５】
しかしながら、実全昭６３−１７３４９９は網体に印刷塗膜、合成樹脂フイルム、刺繍のいずれかを施して添着層を設ける例であり、通気性は多少減少するが、意匠性の向上や、雨水の浸入防止や、遮光性や目隠し効果の増大に効果が認められている。しかし、添着層は薄い層を付加したものであるため網体の強度を多少上げることは可能であるが大きく強度を上げることは難しい。さらに、薄い層を付加したものであるため網体に立体的に突出する遮蔽物を設けたルーバー又は暖簾を用いた建具に比べ雨水の浸入防止や、遮光性や目隠し効果が劣る（添着層は薄い平面状のため上下左右の特に斜め方向からの視線を遮ることが立体的に突出する遮蔽物を設けたものに比べて難しく、添着層の面積を広く設定すれば通気性と採光性が悪くなってしまう）と考えられる。そこで上記の効果をさらに高め、且つ外力に対し高強度の通気体を実現する課題がある。
【０００６】
建造物外部の面に遮蔽部付きの網戸を設置する場合はルーバー及び暖簾等を用いた建具の実施例では、網体の他にルーバー又は暖簾が必要であり、その網戸の設置面積に合わった縦横の長さに切断し、さらに取付部品も追加して組み合わせるものがほとんどであり、構造が複雑であるばかりか、部品点数が多いため高価になっている。また、個人が複数の遮蔽部材間の間隔を等間隔等に規則性を保って遮蔽部材を装着することは難しく位置ズレが発生してしまうことがある。そこで、安価であって同様の機能を有し、さらに装着を容易にし美観の優れる通気体を実現する課題がある。
【０００７】
一方、建造物開口部の支持部材間あるいは枠、戸の規格違いや、建造物の歪等に起因する場合も含め様々な大きさの設置場所に合わせることができ、さらに、新規の製品にのみ装着可能なものでなく既存の設備にも柔軟に対応し、できれば同じ装着方法にて施工できる通気体を実現する課題がある。
【０００８】
また、輸送費を抑えるため梱包サイズ小さくできる通気体（網体）を実現すること。さらに、部材の無駄を減らすことを実現する課題がある。
【０００９】
また、通気体（網体）に様々な色や模様を設けることや、透過する部材を組み合わせて使用することにより、様々な意匠や採光に対応できる通気体を実現する課題がある。
【課題を解決するための手段】
【００１０】
ここで、遮蔽部付き通気体とは、建造物開口部に用い、換気や、調湿、調温、日光の当たりすぎ防止、防虫、防塵、防犯、防水、防風、遮熱、夜間の外部への遮光、窓ガラスの屋内側の結露防止、プライバシーの保護などの、単一あるいは複数の目的に使われるものであり、遮蔽部材（各種の色、柄、透明度を選択できる）と通気体（網状、微細孔付きシート状）を一体的に形成したものである。
【００１１】
本発明は、請求項１として、建造物開口部の左右縦支持部材間または、上下横支持部材間あるいは、上下枠材と左右枠材とで枠組された枠体もしくは、建造物開口部に張設して通気する通気部材にあって、通気部材（１）の表面又は裏面から、丸形断面又は異形断面を有し平面方向に延伸する長棒状部材又は丸形断面又は異形断面を有し垂直方向に突出する凸状部材を有する遮蔽部材（２）を縦方向又は横方向に所定間隔にて備え、遮蔽部材（２）は遮体部（１７）と、断面外周に通気部材（１）とをつなげる取付部（６）とを有し、遮体部（１７）は異物侵入防止、遮熱及び遮光機能を有する部分であり、取付部（６）は通気部材（１）と遮蔽部材（２）とを接する部分であり、通気部材（１）と遮蔽部材（２）とを取付部（６）にて一体的に形成することを特徴とする遮蔽部付き通気体とし、さらに説明すれば（ネット状）通気部材は、合成樹脂や金属等の板状材に貫通孔を設ける（打ち抜き等）や、織物、編物（平織り等）に代表される通気性がある網材や、花粉侵入防止シート等が有り、その通気部材（網材）に接着、（熱）溶着、溶接、圧着、刺着、カシメ、嵌着、縫着、係合、縛合、金型樹脂成型（射出成形又は真空成形の場合も有る）の公知の技術等にて遮蔽部材を取り付けられる場合が有り、また、シート状の無通気フイルムにスリットや加熱（射出成形又は真空成形の場合も有る）する金型を使用して、表面又は裏面に複数の凹部又は凸部を形成する遮蔽部材を設け、さらに害虫の入らない程度（２ｍｍ程度以下）の通気口を設けられる場合があり、どちらの場合においてもロール状に巻き込んで連続的に金型成形加工にて生産することが可能である。（公知の技術なので図示せず）また、（ネット状）通気部材は通常量産されている強度のものであっても遮蔽部材に金属や、各種ファイバー（高強度の芯材を用いた複合材を使用しても良い）等を使用することで強度が上げることができるため防犯に寄与する設定も可能である。なお、遮蔽部付き通気体の建造物開口部への装着方法は対象材に当接させて押さえ板とネジによる固定や、磁石や、粘着テープや、クリップや、その他公知の組み合わせにて対応可能である。なお、遮蔽部材は直線だけでなく曲線にすることや、縦方向と横方向を組み合わせて例えば格子状にする場合もある。なお、遮体部を通気部材面より外面側に凸部を形成することで異物との接触による破損から通気部材を守ることや、異物侵入防止をする働きがあり、この凸部は１ｍｍ以下であっても無いものと比べると強度が大幅に増大すると共にプライバシーの保護の観点では、特に遮蔽部材を縦方向に並べた場合は左右の斜め方向からの、遮蔽部材を横方向に並べた場合は上下の斜め方向からの視線を遮る効果が増大する。なお、普及タイプの網戸の一部にみられる、枠体に設けられた網材押さえ用溝に通気部材を弾性チューブを押し込み固定する場合はその押さえ溝の幅と深さが８ｍｍ以下のものが多く存在しているため遮蔽部材の凸部の凸出量は３ｍｍ以下（少なくても押さえ溝の幅と深さの半分以下）にすると固着が容易となる。また、遮体部の大きさと、不透明、（半）透明、及び色により透光量の各種設定をすることにより遮熱及び遮光をする働きがある。これにより夏場等に屋内に太陽光が入り眩しすぎるまたは、室温が上昇することを抑える働きがある。
【００１２】
本発明は、請求項２として建造物開口部の左右縦支持部材間または、上下横支持部材間あるいは、上下枠材と左右枠材とで枠組された枠体もしくは、建造物開口部に張設して通気する通気部材にあって、通気部材（１）の表面又は裏面から、丸形断面又は異形断面を有し平面方向に延伸する長棒状部材又は丸形断面又は異形断面を有し垂直方向に突出する凸状部材を有する遮蔽部材（２）を縦方向又は横方向に所定の間隔にて備え、遮蔽部材（２）は遮体部（１７）又は他の覆体（３）に設けられた係止に対応する接合部（５）と、通気部材（１）とをつなげる取付部（６）とを有し、遮体部（１７）は異物侵入防止、遮熱及び遮光機能を有する部分であり、接合部（５）は他の部品である接合して付帯部品となる覆体（３）に設けられた係止に対応する雌又は雄の接合にて一対に接合する部分であり、覆体（３）は遮蔽部材（２）の接合部（５）と一対にて接合し、姿勢保持して係止する係止部（１８）を有し、取付部（６）は通気部材（１）と遮蔽部材（２）とを接する部分であり、通気部材（１）と遮蔽部材（２）とを取付部（６）にて一体的に形成することを特徴とする遮蔽部付き通気体とし、さらに説明すれば覆体は、遮蔽部材の遮体部と同様に、大きさ、不透明、（半）透明、及び色や模様により透光量設定をすることにより遮熱及び遮光をする働きを設定できるものであり遮蔽部付き通気体とは別部品であるため、一体的に形成するよりも製造方法の自由度があるため、形状もルーバー状又は、暖簾状以外にも立体像や、動植物の模造や、各種マークなど意匠性に優れた様々な造形を形成可能である。また、遮蔽部材に設けられる接合部は他の覆体に設けられた係止部に一対にて対応するものであれば、雌又は雄はどちらに設定しても良い。また、係止方法は所定の間隔を連続して設けた場合は、ポイント的となる穴と軸による組み合わせ（衣類のプッシュ式ボタンと類似の雌と雄の組み合わせなど）にて押し込み圧入にて係止する場合と、断面の入り口が狭く奥が広い形状を有する接合部と他の覆体に設けられた係止部に（一対にての場合もある）対応する一方の断面の凸部と他方の断面の凹部（ガイド溝）を添わせて挿入する方向にスライドして組み合わせて係止する場合がある。さらに、固定を強くすることを希望する場合は接着剤を併用してもよい。また、所定の長手方向の長さを設定する場合もあり、この場合の長手方向の長さは必ずしも同一にしなくても差をつけることも有り、端部にて覆体のみを長く設定して遮蔽部が外観から見えにくくする場合もあり、この場合は外見をすっきりできる。また、覆体は遮蔽部よりも大きくすることで通気部材から表面側または裏面側に、突出又は隆起する傾斜面を同時成形する等の様に一体的に設けるものより、突出高さを低くできるため（金型又は製品）製作を容易（安価）にでき、さらにロール状に巻いた場合も同じ外径でも傾斜面を同時成形するものより巻き数量を増加できる。
【００１３】
本発明は、請求項３として遮体部（１７）が、通気部材（１）から表面側または裏面側に突出又は隆起する傾斜面（４）を有することを特徴とする請求項１又は２記載の遮蔽部付き通気体とし、さらに説明すれば、（ネット状）通気部材から表面側または裏面側に、突出又は隆起する傾斜面がルーバーの機能を有するため傾斜角度と大きさと色、柄設定によって日光の当たりすぎ防止、防塵、防水、防風、遮熱、プライバシーの保護を加味した設定をすることができる。特に、傾斜面の下部に雨水がかかりにくくなるため普及している通気網に見られる水の表面張力にて網目が塞がって通気性が減少することを抑えることができる。
【００１４】
本発明は、請求項４として通気部材（１）と遮蔽部材（２）が、折り曲げても破損しない弾性を有すること又は、刃物にて切断することが可能であることを特徴とする請求１〜３のいずれかに記載の遮蔽部付き通気体とし、さらに説明すれば、弾性を有することにより外周のエッジ部等に触れて怪我をする危険性を減らすことができる。また、従来より使用されている網戸において普及している網材の装着方法例として弾性を有す（チューブ材など）網材押さえによる網材固定方法においては、遮蔽部材の厚み（もしくは径）と固定に使用する網材押さえの断面の太さを考慮して、枠体の網材押さえ用の嵌溝に適正な押し込み具合となる太さの組み合わせを選択することで通常の作業内容にて装着することができる。また、切断に使用する刃物は普及しているハサミやカッター等でも切断できる程度にすれば特別な専用工具が必要なく経済的である。
【００１５】
また、本発明は、請求項５として各々の遮蔽部材（２）と通気部材（１）とをつなげる取付部（６）が少なくても２箇所以上有することを特徴とする請求項１〜４のいずれかに記載の遮蔽部付き通気体とし、さらに説明すれば、取付部の面積を多くとれば取付強度を上げることができるが、実際の使用に耐えられる強度があれば適正な取付面積と適正な所定間隔の設定にて取付部面積を減らすことで、各種の接合にかかるコスト（接合時間、接着剤）を抑えることが可能となる他に、各々の取付部と他の取付部間にて刃物等で切断することが可能となるため設置場所の長さに合わせて長手方向を切断する作業において、通気部材を傷めにくくできる。また、取付部間の非固着部にて通気部材と遮蔽部材の間に覆体の一部を挿入して覆体を付帯することもできる。
【００１６】
また、本発明は、請求項６として各々の遮蔽部材（２）と通気部材（１）とを分離する際に、通気部材に損傷を与えないこと又は設定強度以上を保って分離することが可能である接合力を取付部（６）が有することを特徴とする請求項１〜５のいずれかに記載の遮蔽部付き通気体とし、さらに説明すれば従来より使用されている枠、戸等に用いられる通気体と同様の固定方法に合わせる、特に網戸において普及している弾性を有す網材押さえによる網材固定方法等と同様な固定方法を望む場合に、固定部に該当する部分の遮蔽部材が邪魔になってしまう場合があるが、邪魔な部分の遮蔽部材を脱去するための方法として、遮蔽部材の必要部分と不要部分の境を刃物で遮蔽部材を傷つない様に切断し、分離する際に不要部分をペンチ等のはさむ工具にてつかみ、脱去方向にはがす方法がある。なお、通気部材の強度を保って分離することが可能である接合力に設定する必要が有るが、接合力の調整は、接着による場合は接着剤の長さ単位当たりの使用量と使用面積当たりの使用量や、接着原材質の変更によって対応可能である。また、通気部材を金属（ステンレスや、アルミ合金）や、芯材を有す高強度の複合合成樹脂等とし、遮体部材をゴムや、シリコンやその他樹脂などの脆弱な設定にする場合は素材の強度に大きな差が有るので一体化された遮蔽部付き通気体から遮体部材を引っ張る又はちぎり取ることが容易にできる。また、遮蔽部材と網線（通気部材）との接合する取付部が網線の周囲を充填した場合に遮蔽部材の材質と網線の材質の相性にて接着できない設定にすることで分離が容易になるばかりか脱去跡も無くすことも容易となる。なお、接着の相性が良い材質どうしの場合はメッキやコーティングなどの表面処理を施して接着の相性を悪くしても良い。また、取付部の肉厚を増減することでも接合強度が変化するので接合力の調整が可能である。
【００１７】
また、本発明は、請求項７として製造後あるいは輸送時もしくは供給時に巻き込む又は、巻き戻すことを特徴とする請求項１〜６のいずれかに記載の遮蔽部付き通気体とし、さらに説明すれば通気部材と合成樹脂とのインサート成形の場合は通気部材の供給側と排出側のテンションを与え合成樹脂とのインサート成形後に次のインサート成形部まで所定の送り量にて送り、再度インサート成形を繰り返す製法に適しているため連続生産による巻き込むことが可能である。また、リール又はローラー等に巻き込むことでロール式網戸の網部分に代わるロール式遮蔽部付き通気体に使用することも可能である。
【００１８】
なお、各部材の材質は木、竹などの天然素材も考えられるが大量生産にはアルミ合金やステンレス合金等の金属、樹脂、セラミック等（透ける材質の場合も有る）をも用いるほうが適している。また、通風材を使用する場合もあり、通風材としては、各種金属、樹脂、多層材などがあり、形態としては網、繊維、織物、多孔シート、多孔板などがある。蒸気を通すが水を通さないなど透過の程度も自由に設定できる。また、好みの色を使用することで内部の色設定を変えることができる。
【００１９】
また、前記遮蔽部付き通気体は、風雨などの影響を受けにくい形状が望まれる。特に二階以上の落下の危険がある場所では、はずれ防止具や、ボルト等による固定による落下防止策が望まれる。
【００２０】
また、前記遮蔽部付き通気体を設置した際に美観、安全性を高めるなどのために上下および左右や奥行きの各方向の端部に、カバーを設ける場合も有る。
【００２１】
また、遮蔽部付き通気体は、建造物開口部の全てばかりでなく部分的に設置する場合も有る。さらに、庇の有無およびプライバシー保護の観点等により必要な部位にのみ設置する場合もある。
また、各部材は、耐候性、防汚、防錆、防腐、抗菌作用の有る材料が好ましい。
【発明の効果】
【００２２】
この発明の複数の遮蔽部材を通気部材と一体的に形成することにより、建造物開口部に他の部材（ルーバー又は暖簾等）を用意する必要が無くなり、製造時に幾何学的に設定された意匠等を保って設置でき、ねじれや、ゆがみを少なく施工することができる。また、通気部材に複数の遮蔽部材を組み合わせることで、通気体（網体）の引っ張り強度及び外力の接触による耐破損力を上げることができる。
【００２３】
また、従来のルーバー及び暖簾等を用いた建具の実施例では、網体の他にルーバー又は暖簾等とが必要であり、その網戸の設置面積に合わった縦横の長さに切断してさらに取付部品にて組み合わせるものであり構造が複雑であるばかりか、部品点数が多いため高価になってしまうが、この発明の場合は、極めて構造が簡単であり、（取付）部品点数も少なくでき、さらに作業工賃を抑えることができ、また部品点数が少なく軽いため従来の網戸等の設備に付帯させても新たに補強をしなくても良い場合も多く安価に設置できる。
【００２４】
また、遮蔽部付き通気体をロール状に巻き込む場合は、梱包サイズを小さくでき輸送費を抑えること及び、必要面積のみを（切り売り）使用することにより部材の無駄を減らすことでも安価に提供することができる。
【００２５】
また、様々な大きさの設置場所に合わせて必要面積を切り取って現在使用している網戸に取り付ける等の場合も、現在普及している網材の固定方法と同様に、枠体の網材押さえ用の嵌溝に弾性を有す（チューブ）網材押さえを押し込む網材固定方法と同様な固定方法も可能であるため、慣れている作業である上、（チューブ）網材押さえは汎用品を利用することで安価に設置できる点で優れている。また、固定部に該当する部分の遮体部材が邪魔になってしまう場合では、遮体部材の必要部分と不要部分の境を刃物で通気部材を傷つけずに切断し、離する際に不要部分をペンチ等のはさむ工具にてつかみ脱去方向にはがす方法を適応すれば従来と同じ（チューブ）網材押さえを利用できる場合がある点で優れている。
【００２６】
また、遮蔽部材は他の覆体と接合できるものとする場合は、覆体は遮体部よりも大きくすることで通気部材から表面側または裏面側に、ルーバー状又は、暖簾状の遮体部を設けるものより、突出高さを低くできるため製作を容易（安価）にできる点で優れている。また、覆体が別の構成部品となるので、所望する形態に適した製法を選択する自由度が高くなるため立体像や、動植物の模造や、各種マークなど多種多様の意匠性に優れた外観に対応しやすい点で優れている。
【００２７】
また、接合部又は覆体に弾性を持った凸部にて圧接する圧接用変形部を設け、相互にガタツキのない圧入設定にした場合は、組み立て中に覆体が移動しないため作業性が良くなる上に複数個を規則的に（直列に意匠違いの物を連続して）並べる際に発生するズレも少なくできるためきれいに整列できる。
【００２８】
また、覆体を複数使用する場合は、所定部位のみの覆体の色彩変更や、所定部位のみの着脱をすることも実現でき、破損の場合もその部材のみを交換できるため改修費用を安くできる。また、光を透過できる材質を選ぶことで食事をおいしく感じられる暖色系に設定するまたは、気分を落ち着かすことができる寒色系に変更することも可能となる。また、施工後に使用者の予想に反して採光が暗くなった場合の覆体の色彩変更や、透過率の違う部材への変更（一般にくもりガラスの様に一定の面積を有し、かつ同じ透過率の部材の場合に外部から内部が見える場合があるが、交互に透過率の違う部材を使用する場合は、外部の視線を見えにくくしてもそれなりの外光を多く入れたいといった個々の希望にも対応できることがある）もできる点で優れている。
【実施例１】
【００２９】
図１は、本発明実施時の、一例として遮蔽部付き通気体のイメージ形態概要図である。
左図は、遮蔽部付き通気体の巻き込み図である。
巻き込まれた遮蔽部付き通気体２１は、通気部材１の表面に丸形断面有し平面方向に延伸する長棒状部材となる遮蔽部材２を横方向に所定の間隔をあけて８本並べた縦タイプの例である。その右図は、リール２７に巻かれた遮蔽部付き通気体の巻き込み図である。
巻き込まれた遮蔽部付き通気体２１は、通気部材１の表面に丸形断面有し平面方向に延伸する長棒状部材となる遮蔽部材２を横方向に所定の間隔をあけて５本並べた横タイプの例である。また、小さい円内を大きい円内に拡大した図では通気部材である網材２３に、取付部６にて固着された遮体部１７を有す遮蔽部材を示している。なお、通気部材１の表面に（丸形断面又は異形断面を有し平面方向に延伸する長棒状部材となる）遮蔽部材２を固着する方法として、冷め切っていない又は硬化時間に達していないことにより完全に固形化していない合成樹脂を通気部材１の表面に接面させ（自重の場合もある）加圧して取付部６にて溶着させる方法がある。または、通気部材１の表面に（丸形断面又は異形断面を有し平面方向に延伸する長棒状部材となる）遮蔽部材２を固着する方法として固形化した長棒状部材を取付部６にて接着剤による接着、各種圧着子を使用しての圧着、各種針付き止具を使用しての刺着、潰し加工によるカシメ、凹部と凸部の組み合わせによる嵌着、糸による縫着又は縛合する又は溶接する方法がある。
【実施例２】
【００３０】
図２は、本発明実施例として網戸に遮蔽部付き通気体を設置した形態概要図である。
ここで、一般に普及している網戸構成によく見られる固定方法を説明すれば、枠材に設けられた網材押さえ用溝は縦枠と横枠が溝幅と深さ共に同じ設定の場合が多く、貼られる網材も厚みが均一な場合が多いので、弾性を有す網材押さえも同じ径にて網材と共に網材押さえ用溝に押し込まれることが多いが下記に本発明の実施における相違点を示す。
（ａ）は、遮蔽部付き通気体を普及網戸の一種に設置した右上の角部分の正面図である。
上記の実施例１の横タイプの設置例であり遮体部１７を屋外に向けた遮蔽部付き通気体（網材）を枠組された枠材１２に網材押さえ２２Ａ、２２Ｂによって張られた図である。遮蔽部付き通気体は、通気部材のみの厚み部分と、通気部材と遮蔽部材の厚みを合わせた部分があるので通気部材のみの厚み部分は太い網材押さえ２２Ａにて網材押さえ用溝に押し込み固定し、通気部材と遮蔽部材の厚みを合わせ重なる部位にあたる押し込み部１９は細い網材押さえ２２Ｂにてそれぞれ固定していることを示す図である。
（ｂ）は、（ａ）の側断面概要図である。
通気部材である網材２３を枠材１２の枠材に設けられた網材押さえ用溝に網材押さえ２２Ａと共に押し込み固定して張られたことを示し、これは通気部材１と遮蔽部材２が、折り曲げても破損しない弾性を有することによって可能となる実施図である。
これに示す一般に普及している網戸構成と同様の固定方法の場合はほぼ通常の網材張替えと同様の方法で遮蔽部付き通気体を設置することが可能となる。
【実施例３】
【００３１】
図３は、本発明実施例として遮蔽部付き通気体に覆体を設置した形態概要図である。
（ａ）は、上記の実施例２の蔽部付き通気体に覆体を各々設置する正面図である。
上記の実施例２の遮蔽部材２の遮体部１７より大きな遮体となる覆体３を手前に付帯させることを示す図である。
（ｂ）は、上記の実施例２の蔽部付き通気体に覆体を設置した側断面概要図である。
最上部以外は遮蔽部材２に屋外側に下がった傾斜面４を有す覆体３を嵌着したことを示し、最上部の遮蔽部材２の接合部５に向かって、丸状の縁切り溝となる（弾性を有す場合も有る）係合部１８有する覆体３を圧入方向３５に嵌めて係止させることを示す図である。また、この例では覆体３を係止させた場合に係合部１８と網材２３の隙間を少なく設定することで覆体３が回転すること抑えて姿勢保持している。
なお、図中には明記されていないが覆体３は押し出し成型にて同一断面を保って長手方向に長く連続生産することが可能であり、必要な長さを切断して使用する。また、必要な長さを複数のピース部材に分けて直列させて合計長さにて必要長さとすることも可能で有り、各々が嵌めて係止させることができれば色、柄、形状などが違ったものでも構成することも可能である。なお、遮蔽部材２に覆体３を嵌めて係止させる手順は、蔽部付き通気体を枠体に設置する前後のどちらでも良く作業者が容易な方を選ぶことができる。
【実施例４】
【００３２】
図４は、本発明実施例として網戸に遮蔽部付き通気体を設置した形態概要図である。
（ａ）は、遮蔽部付き通気体を普及網戸の一種に設置した右上の角部分の正面図である。
上記の実施例１の横タイプの発展例であり、遮体部を大きく屋外に向けた傾斜面４を手前に突出させることを示す図である。
遮蔽部付き通気体２１を枠組された枠材１２に網材押さえ２２Ａ、２２Ｂによって押し込まれて張られた図である。遮蔽部付き通気体は、通気部材のみの厚み部分と、通気部材と遮蔽部材の厚みを合わせた部分があるので通気部材のみの厚み部分は太い網材押さえ２２Ａにて、網材押さえ用溝に押し込み固定し、通気部材と遮蔽部材の厚みを合わせた部分は細い網材押さえ２２Ｂにて押し込み固定していることを示す図である。なお、この例では縦方向の網線１３のみにて遮蔽部付き通気体を構成しているが射出成型にて生産する場合に縦方向の網線のみに位置決めすることで金型の製作を簡単にすることができる場合がある。
（ｂ）は、（ａ）の側断面概要図である。
遮蔽部付き通気体２１を枠材１２の枠材に設けられた網材押さえ用溝に網材押さえ２２Ａと共に押し込み固定して張られたことを示し、これは通気部材と遮蔽部材が、折り曲げても破損しない弾性を有することによって可能となる実施図である。
これに示す一般に普及している網戸構成と同様の固定方法の場合はほぼ通常の網材張替えと同様の方法で遮蔽部付き通気体を設置することが可能となる。
なお、最上部に当たった遮体部は、切断部１４にて切断して脱去部２５を脱去することで取付部６のみを残すこととなり、網材押さえ用溝に網材押さえ２２Ａと共に押し込み固定することが容易となる例である。
（ｃ）は、（ａ）の下面図である。
（ａ）の押し込み部にて、網材押さえ２２Ｂを押し込み固定されることにより、遮体部１７が網材押さえ用溝に近くなるにつれ低くなっている。
なお、図中には明記されていないが、もう一方の端部も同様な形態となる。
【実施例５】
【００３３】
図５は、本発明実施例として網戸に遮蔽部付き通気体を設置した形態概要図である。
（ａ）は、遮蔽部付き通気体を普及網戸の一種に装着した右上の角部分の正面図である。
上記の実施例１の横タイプの変形例であり遮体部大きく屋外に向けた傾斜面４を手前に突出させることを示す図である。屋外に向けた遮蔽部付き通気体（網材２３）を枠組された枠材１２に網材押さえ２２Ａによって張られた図である。遮蔽部付き通気体は、通気部材のみの厚み部分にて、網材押さえ用溝に押し込み固定していることを示す図である。これは遮蔽部材２を切断部１４にて切断して脱去することで押し込み固定する部分の遮蔽部材２を無くすこととなり従来と同様な固定方法にて装着している。また、各々の遮蔽部材２と通気部材である網材２３とつながる取付部６が少なくても２箇所以上有した例であり、取付部６は所定の間隔をあけてスポット的に固着しているが、設定強度が十分であればコストを下げることに貢献する場合もある。また、切断部１４は取付部６を避けることで切断が容易にできる。なお、切断に使用する刃物は普及しているハサミやカッター等でも切断できる程度にすれば特別な専用工具が必要なく経済的である。
（ｂ）は、（ａ）の側断面概要図である。
通気部材である網材２３を枠材１２の枠材に設けられた網材押さえ用溝に網材押さえ２２Ａと共に押し込み固定して張られたことを示し、これは通気部材１が、折り曲げても破損しない弾性を有することによって可能となる実施図である。また、遮蔽部材２は、屋外側に下がった傾斜面４と取付部６を有する貼合面１０とが鈍角にて曲がった断面を有している。これに示すとおり通常の網材張替えと同様の方法で遮蔽部付き通気体を設置することが可能となる。
【実施例６】
【００３４】
図６は、本発明実施時の、一例として遮蔽部材２と通気部材である網線１３と取付部６を示す形態概要図である。
（ａ）は遮蔽部材と網線と取付部の上面図である。
遮蔽部材２の右端部に取付部６が有り網線１３と遮蔽部材２が右端に同一面にて固着されており同一面にて固着することで遮蔽部材２と網線１３とを分離する際は、双方の分離によるダメージを減らすことができ、通気部材に損傷を与えないこと又は設定強度以上を保って分離することが可能である接合力を取付部６に設定することが可能となる。また右端面より網線１３が出る設定にする又は、取付部６の網線１３方向の厚みを減らすことでさらに接合力を弱めることが可能となる。
（ｂ）は、（ａ）の下面図である。
遮蔽部材の遮体部１７は屋外方向に下がる傾斜面４と右端部の取付部６にて網線１３と固着されており、下方に所定の間隔をあけて同様の形態に連鎖した例である。
【実施例７】
【００３５】
図７は、本発明実施例として網戸に遮蔽部付き通気体を設置した形態概要図である。
（ａ）は、遮蔽部付き通気体を普及網戸の一種に設置した右上の角部分の正面図である。
遮蔽部付き通気体である網面２０の縦横の各方向に所定間隔にて網材２３の表裏を通る異形断面を有し垂直方向に突出する凸状部材である複数の雄係合部７を射出成型等によって固着した例であり、手前側に傾斜面４を有す覆体３は横長に所定の長さにて上下に複数並べることを示している。
（ｂ）は、（ａ）の側断面概要図である。
通気部材である網材２３を枠材１２の枠材に設けられた網材押さえ用溝に網材押さえ２２Ａと共に押し込み固定して張られたことを示し、これは通気部材１が、折り曲げても破損しない弾性を有することによって可能となる実施図である。
また、雄係合部７は、屋外側に多く凸状部が出た状態にて固着している。
この例では覆体３は、屋外側に下がった傾斜面４から鈍角にて鉛直方向に上を向いた面を有しているがこの面に雌係合部を設けており図８にて説明する。
【実施例８】
【００３６】
図８は、本発明実施例であり図７の一部を拡大した図である。
（ａ）は、覆体を遮蔽部付き通気体に装着前図である。
雄係合部７は、屋外側に多く凸状部が出た状態にて、遮蔽部付き通気体である網材２３と固着している。覆体３は、屋外側に下がった傾斜面４から鈍角にて鉛直方向に上を向いた面を有しているがこの面に雌係合部８を設けており、雌係合部８は雄係合部７の軸径よりも小さな穴径に設定してあるため圧入方向３５にて圧入固着できることを示している。
また、雄係合部７は先端に先が細くなる導入さそいを有し、挿入が軽い力で済むように形成され且つ、軸中央部に肉ヌスミ２４となる空間があり肉ヌスミ２４拡縮することで弾性を高めている。
（ｂ）は、（ａ）の装着後図である。
覆体３の雌係合部８は雄係合部７の根元まで嵌め合わされ取付部６付近にて網材２３（遮蔽部付き通気体）と固着されている。この状態は屋外方向より雨水３３が降った場合に覆体３に当たり傾斜面４の最下部にしずく３４となり溜まりさらに下方に落下していく。これにより雨水の屋内への浸入を抑えることができる。
（ｃ）は、雌係合部と雄係合部の参考図である。
各種の係合する組み合わせに示すように圧接用変形部３２にて絞まる嵌めあいにて固着できる例である。
【実施例９】
【００３７】
図９は、本発明実施例として遮蔽部材と通気部材とを分離する概要図である。
（ａ）は、遮蔽部付き通気体の遮蔽部材と通気部材とを分離する正面図である。
通気部材である網面２０に遮蔽部材２が上下に２本並べられているが下方の遮蔽部材２の一部を分離する例であり、一体化された遮蔽部付き通気体の構成部材である遮蔽部材２の遮体部１７の方向から切断部１４にて切れ目を入れる例である。なお、切れ目は網面２０に触れなくすることで網材に損傷を与えることを防げる。また、切断に使用する刃物は普及しているハサミやカッター等でも切断できる程度にすれば特別な専用工具が必要なく経済的である。
（ｂ）は、（ａ）の分離する概要を示す脱去参考正面図である。
（ａ）の切断部１４の切れ目を境に不要部である右側をペンチ等のはさむ工具にてつかみ、脱去方向１５にはがす方法がある。なお、通気部材の強度を保って分離することが可能である接合力に設定する必要が有る。
（ｃ）は、（ａ）の分離後の概要を示す脱去正面図である。
一体化された遮蔽部付き通気体の構成部材である遮蔽部材を分離した後に脱去跡１６が残ることがあるが、この脱去跡はなるべく目立たなくすることが美観に優れるため望まれる。
【実施例１０】
【００３８】
図１０は、本発明実施例として遮蔽部材と通気部材とを分離する概要図である。
（ａ）は、遮蔽部付き通気体を普及網戸の一種に設置した右上の角部分の正面図である。
遮蔽部材２の遮体部が、通気部材１から手前側突出する傾斜面４を有することを示しており通気部材と接する取付部６があり長手方向の所定間隔にのみ固着しているものであり、遮蔽部材２が上下に２本並べられているが、下方の遮蔽部材２の一部を分離する例であり一体化された遮蔽部付き通気体の構成部材である遮蔽部材２の所定間隔にのみ固着している取付部６をはずした部位に切断部１４を設定し切断する。（ハサミやカッター等でも切断できる程度すれば特別な専用工具が必要なく経済的である）なお、切断は取付部６をはずした部位に行う理由は、取付部６の固着部を切断するより固着部間の隙間に刃先又は傷防止の薄い金属を挿入してカッター等にて押し切ることが可能となり、通気部材１に触れなくすることが容易となるため、さらに通気部材１に損傷を与えることを防げる。
（ｂ）は、（ａ）の分離する概要を示す脱去参考正面図である。
（ｃ）は、（ａ）の側面図である。
この例では通気部材１を通気シートにし液状接着剤を一定の間隔に染み込ませることでも固着できる場合がある。
【実施例１１】
【００３９】
図１１は、遮蔽部付き通気体の傾斜面を有する場合の製法の一例を示す概要図である。
上下に開かれたプラスチック金型の上方に遮体部１７の形状を設定した空間１１が４箇所設けた例であり空間１１は遮体部１７の傾斜面４に対し成形後に抜けやすくするための勾配を有しているが、これは傾斜面４の角度及び傾斜角２６によって上端部が細く下方が太くなる設定になる様に設定角度９（プラスチック金型の開く面角度）を適正にすることで可能となる。この様な通気部材と合成樹脂とのインサート成形の場合は通気部材の供給側と排出側のテンションを与え合成樹脂とのインサート成形後に次のインサート成形部まで所定の送り量にて送り、再度インサート成形を繰り返す製法に適しているため連続生産による巻き込むことが可能である。また、この図ではゲート、エジェクト、ランナーは記されていないがツ−プレートや、スリ−プレート等の各種金型構造に適応する公知の技術にて適切に設定することが望ましい。
【実施例１２】
【００４０】
図１２は、遮蔽部付き通気体の傾斜面を有する場合の形態と製法例を示す概要図である。
（ａ）は、上記の実施例２の横タイプの発展例であり遮体部１７を屋外に向けた遮蔽部付き通気体（網材２３）を枠組された枠材１２に張られた図である。遮体部１７は、通気部材である網材２３から屋外側突出する傾斜面４を有しており、取付部６及び網材２３を通り屋内側にも少し張り出している。
（ｂ）は、（ａ）の形状のインサート成形製法例を示す概要図である。
空間１１によって形成される遮体部１７は成形後に抜けやすくするための勾配を有しているため金型構造は単純であるため金型費は安価であるが、合成樹脂の使用量が多いため重量が重くなる、又はヒケが発生しやくなる欠点がある。
（ｃ）は、上記の実施例３の横タイプの発展例であるが（ａ）と同等の傾斜面４を有したものであるが傾斜面４の裏面に凹みを設けて合成樹脂の使用量を減らすと共に接合部５と嵌め合わせて位置決めできる凹凸を設定してある。この例では上下の遮体部１７の一つおきに覆体３を嵌め合わせる例であるが覆体３のガイド部２９又は係止部１８の圧入の設定にてズレ無い嵌め合わせにすることが望まれる。
（ｄ）は、（ｃ）の形状のインサート成形製法例を示す概要図である。
空間１１によって形成される遮体部１７は成形後に抜けやすくするための勾配を有していないため可動イレコにて成型後に可動して開くことが必要となるので金型構造は複雑であるため金型費は高価であるが、合成樹脂の使用量が少ないため重量が軽くなる、又はヒケが発生しにくくなる利点がある。
【実施例１３】
【００４１】
図１３は、本発明実施例として遮蔽部付き通気体に覆体を設置する形態概要図である。
通気部材１に遮蔽部材２が上下に３本並べられているが最下方の遮蔽部材２に覆体３が嵌め合わされており、その上の遮蔽部材２に覆体３を嵌め合わせる例であるが遮蔽部材２の接合部５は入り口より奥が広い溝を長手方向に平行に有しており、覆体３は傾斜面４と傾斜面４からＬ字状に鋭角にて曲がり、その先端に係止部１８を有すものであり、長手方向に所定の長さにて形成されている。なお、覆体３の係止部１８は遮蔽部材２の接合部５の溝形状に対し破損しない程度にて大きくすることで圧入できる設定となっておりスライド方向３１に圧入して嵌め合わせることにより固着できる例である。また、接合部５の入り口より奥が広い溝の隙間にゴミが溜まるまたは、カビが発生することを嫌う場合には他の部位に溝を設ける又は覆体を大きく設定する等によって溝をすべて覆うことを選択することもある。
【実施例１４】
【００４２】
図１４は、本発明実施例として遮蔽部付き通気体に覆体を設置する形態概要図である。
（ａ）は、通気部材と遮蔽部材とが固着した遮蔽部付き通気体斜視図である。
通気部材１に遮蔽部材２が上下に３本並べられているが各々の遮蔽部材２と通気部材１とつながる取付部６が所定の間隔をあけてスポット的に固着している。
（ｂ）は、（ａ）に覆体を付帯する覆体装着参考図である。
最下の遮蔽部材に１個、その上の遮蔽部材に２個の覆体３を付帯しているが各々の覆体３は遮蔽部材２と通気部材１との取付部６と隣接する取付部間の無固着部に生じる隙間に向けて覆体３の係止部１８を圧入方向３５に挿入する例である。なお、覆体３は傾斜面４と傾斜面４から鉛直状にて曲がり、その先端に係止部１８を有すものであり、長手方向に所定の長さにて形成されており、覆体３の係止部１８は遮蔽部材２の接合部５の隙間を変形又は破損しない程度にて圧入できる設定となっている。
【実施例１５】
【００４３】
図１５は、同一種の遮蔽部付き通気体に意匠違いの覆体を設置する形態概要図である。
通気部材１に遮蔽部材２が横方向に上下に同一の間隔に３本並べられているが、各々の遮蔽部材２の手前面に遮体部１７から垂直方向に突出する凸状部３６を有し、凸状部３６は縦方向又は横方向に所定間隔にて備えたものであり、係合できる軸を有す雄係合部７とする場合もある。さらに遮体部１７は手前面より根元の通気部材１面側の方が上下幅方向に細くなる段差が設定してある接合部５を有し、取付部６にて通気部材１と固着している。
（ａ）は、遮蔽部付き通気体にスライドして覆体を設置する形態概要斜視図である。
各々の遮蔽部材２の遮体部１７は手前面より根元の方が上下幅方向にそれぞれ接合に使用する段差として細くなる接合部５を有しているが、最上とその下に並んだ遮蔽部材２の一方の接合部５と他方の接合部５との間隔と同等幅以下であり、且つ並んだ遮蔽部材２の最短間隔より広い上下方向の幅にて設定される覆体３を上下方向に並んだ遮蔽部材２のそれぞれの接合部５にスライド方向３１にて挿入される固着例である。なお、覆体３は通気できる通気穴３０と傾斜面４にて通気部材１との通気ができる設定になっている。また、覆体３は長手方向に必要な長さに切断して使用する又は、複数個に分割しそれぞれを色違いにすることも可能である。また、係止部１８は接合部５にて設置された状態にてズレない係止する設定又は接着材にて接着する等脱落防止することが望まれる。
（ｂ）は、遮蔽部付き通気体に圧入して覆体を設置する形態概要斜視図である。
最下とその上に並んだ遮蔽部材２には覆体３が任意部位にて３個装着された例である。
各々の遮蔽部材２の手前面に遮体部１７から垂直方向に突出する雄係合部７を有し、雄係合部７は縦方向と横方向に所定間隔にて備えたものであり、上下方向に並んだ遮蔽部材２の雄係合部７は一方の遮蔽部材２と他方の遮蔽部材２とが縦横に同一線の延長する位置にて突出しており、最上とその下に並んだ遮蔽部材２に覆体３を装着する例であり、図中の位置に合致する４箇所の雌係合部８を有する覆体３がそれぞれに対応し係止する雄係合部７に向けた圧入方向３５に挿入して覆体３を設置する固着例である。なお、覆体３は通気できる通気穴３０にて通気ができる設定になっている。また、覆体３は個人の希望に合わせて複数個を使用する、又はそれぞれを色違いにすることも可能であり、さらに形状も本図のように板状や、ルーバー状や、暖簾状にする以外にも立体像や、動植物の模造や、各種マークなど意匠性に優れた様々な造形を形成可能である。また、この図では遮体部１７から垂直方向に突出する雄係合部７を有した例であるが、遮体部１７に凹み又は貫通孔を設けて雌係合部とすることも可能であり、その場合は雌係合部に一対にて係止する雄係合部を覆体に設定する場合もある。また、覆体は様々な素材や色や形状もしくは模様の組み合わせが可能であり、且つこのような構成であるため汎用性に富み、戸枠以外の窓枠や窓周囲の壁にも対応することが可能である。
【実施例１６】
【００４４】
図１６は、実施例として普及タイプの網戸に遮蔽部付き通気体を装着した概要図である。
左図は、網戸の網に複数の板材を並べ重ね合わせた正面図である。
普及タイプの網戸の枠材１２に網材押さえ樹脂２２Ａによって遮体部を屋外に向けた遮蔽部付き通気体に張られた図であり、小円部を大円にて拡大して示している。
大円内に示すように遮体部１７に傾斜面４を有す遮蔽部材が取付部６にて通気部材である網線１３と固着している。なお、固着に遮蔽部材が邪魔になる場合は取付部６に示すように遮蔽部材と網線１３とが同一面となる様に少しの溶け込み量にて接合しているため遮蔽部材を切断して分離することが可能な接合になる設定にしてある。これに示すとおりに網材押さえ樹脂２２Ａにて固着される部分の全て遮蔽部材を無くす事により通常の網材張替えと同様の方法で遮蔽部付き通気体を設置することが可能となる。
【産業上の利用可能性】
【００４５】
建造物の開口部において、本発明の遮蔽部付き通気体を用いることで公知のルーバーの構造や可動方法を組み合わせて多種多様な製品に対応できる。また、リール又はローラー等に巻き込むことでロール式網戸の網部分に代わるロール式遮蔽部付き通気体に使用することも可能である。また、部材には撥水処理または光触媒処理等を施しても良い。
【図面の簡単な説明】
【００４６】
【図１】遮蔽部付き通気体の実施方法を示した説明図である。（実施例１）
【図２】遮蔽部付き通気体の実施方法を示した説明図である。（実施例２）
【図３】遮蔽部付き通気体の実施方法を示した説明図である。（実施例３）
【図４】遮蔽部付き通気体の実施方法を示した説明図である。（実施例４）
【図５】遮蔽部付き通気体の実施方法を示した説明図である。（実施例５）
【図６】遮蔽部付き通気体の実施方法を示した説明図である。（実施例６）
【図７】遮蔽部付き通気体の実施方法を示した説明図である。（実施例７）
【図８】遮蔽部付き通気体の実施方法を示した説明図である。（実施例８）
【図９】遮蔽部付き通気体の実施方法を示した説明図である。（実施例９）
【図１０】遮蔽部付き通気体の実施方法を示した説明図である。（実施例１０）
【図１１】遮蔽部付き通気体の実施方法を示した説明図である。（実施例１１）
【図１２】遮蔽部付き通気体の実施方法を示した説明図である。（実施例１２）
【図１３】遮蔽部付き通気体の実施方法を示した説明図である。（実施例１３）
【図１４】遮蔽部付き通気体の実施方法を示した説明図である。（実施例１４）
【図１５】遮蔽部付き通気体の実施方法を示した説明図である。（実施例１５）
【図１６】遮蔽部付き通気体の実施方法を示した説明図である。（実施例１６）
【符号の説明】
【００４７】
１  通気部材
２  遮蔽部材
３  覆体
４  傾斜面
５  接合部
６  取付部
７  雄係合部
８  雌係合部
９  設定角度
１０  貼合面
１１  空間
１２  枠材
１３  網線
１４  切断部
１５  脱去方向
１６  脱去跡
１７  遮体部
１８  係止部
１９  押し込み部
２０  網面
２１  遮蔽部付き通気体
２２Ａ、２２Ｂ  網材押さえ
２３  網材
２４  肉ヌスミ
２５  脱去部
２６  傾斜角
２７  リール
２８  可動イレコ
２９  ガイド部
３０  通気穴
３１  スライド方向
３２  圧接用変形部
３３  雨水
３４  しずく
３５  圧入方向
３６  凸状部
【図１】
2007254983.tif 000003
【図２】
2007254983.tif 000004
【図３】
2007254983.tif 000005
【図４】
2007254983.tif 000006
【図５】
2007254983.tif 000007
【図６】
2007254983.tif 000008
【図７】
2007254983.tif 000009
【図８】
2007254983.tif 000010
【図９】
2007254983.tif 000011
【図１０】
2007254983.tif 000012
【図１１】
2007254983.tif 000013
【図１２】
2007254983.tif 000014
【図１３】
2007254983.tif 000015
【図１４】
2007254983.tif 000016
【図１５】
2007254983.tif 000017
【図１６】
2007254983.tif 000018
【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
建造物開口部に張設した、網体または孔付きシートからなる通気部材（１）に覆体（３）を取り付けてなる遮蔽部付き通気部材であって、前記通気部材（１）はその表面または裏面に丸形断面または異形断面からなる長棒状部材で形成した取付部（６）を有する遮蔽部材（２）を通気部材（１）と一体的に接合部（５）で接合して、縦方向または横方向に所定間隔あけて複数設けてあるとともに、通気部材（１）はリール（２７）に対して巻き込みまたは巻き戻し可能であり、巻き戻した状態の通気部材（１）にあるいは建造物開口部に通気部材（１）を張設した状態で、前記遮蔽部材（２）の取付部（６）に付帯部品となる覆体（３）を着脱可能に嵌合してあることを特徴とする遮蔽部付き通気体。
【請求項２】
建造物開口部に張設した、網体または孔付きシートからなる通気部材（１）に覆体（３）を取り付けてなる遮蔽部付き通気部材であって、前記通気部材（１）は縦横の各方向に所定間隔で、通気部材（１）の表裏を通る異形断面を有し垂直方向に突出する凸状部材である複数の雄係合部（７）または該雄係合部（７）と嵌着する雌係合部（８）のどちらか一方を固着してあり、前記覆体（３）には該雄係合部（７）または雌係合部（８）の内他方を設けてあるとともに、通気部材（１）はリール（２７）に対して巻き込みまたは巻き戻し可能であり、巻き戻した状態の通気部材（１）にあるいは建造物開口部に通気部材（１）を張設した状態で、前記通気部材（１）または前記覆体（３）の一方に設けた雄係合部（７）と他方に設けた雌係合部（８）を嵌着して、付帯部品となる覆体（３）を着脱可能に取り付けてあることを特徴とする遮蔽部付き通気体。
【請求項３】
請求項１記載の遮蔽部材（２）あるいは請求項２記載の凸状部材と通気部材（１）との接合が、カシメ、溶着、溶接、圧着、縫着、縛合のいずれかで行われることを特徴とする請求項１または２記載の遮蔽部付き通気体。
【請求項４】
前記建造物開口部には上下枠材と左右枠材とで枠組みされた枠体が設置され、該枠体は網材押さえ用溝部を備えており、前記通気部材（１）と遮蔽部材（２）の縁部を網材押さえによって網材押さえ用溝部に押し込み固定して枠体に通気部材（１）を張設したことを特徴とする請求項１または２記載の遮蔽部付き通気体を用いた建具。
【手続補正２】
【補正対象書類名】明細書
【補正対象項目名】全文
【補正方法】変更
【補正の内容】
【発明の詳細な説明】
【技術分野】
【０００１】
本発明は、建造物開口部の複数の支持材間あるいは枠に用いられる複数の遮蔽部材を所定の間隔に備えた遮蔽部材付き通気部材（網材）及び覆体を用いた建具に関するものである。
【背景技術】
【０００２】
建造物外部の面にルーバー又は暖簾を用いた建具の実施例があり、建造物内部と外部との換気や、調湿、調温、日光の当たりすぎ防止、防虫、防塵、防犯、防水、防風、遮熱、夜間の外部への遮光、プライバシーの保護、外観意匠の変更や、ルーバーを透過する光の変更、ルーバーを反射する部材の変更等ができるルーバーがあり、そのルーバー又は暖簾を所定の長さに設定して形成した遮蔽部付き網戸等があった。
【０００３】
一方、下記文献の実全昭６３−１７３４９９に示すように網体に添着層を設けて所定の図柄を表現するデザイン網戸とする文献が知られている。
【０００４】
【特許文献１】実全昭６３−１７３４９９
【発明の開示】
【発明が解決しようとする課題】
【０００５】
しかしながら、実全昭６３−１７３４９９は網体に印刷塗膜、合成樹脂フイルム、刺繍のいずれかを施して添着層を設ける例であり、通気性は多少減少するが、意匠性の向上や、雨水の浸入防止や、遮光性や目隠し効果の増大に効果が認められている。しかし、添着層は薄い層を付加したものであるため網体の強度を多少上げることは可能であるが大きく強度を上げることは難しい。さらに、薄い層を付加したものであるため網体に立体的に突出する遮蔽物を設けたルーバー又は暖簾を用いた建具に比べ雨水の浸入防止や、遮光性や目隠し効果が劣る（添着層は薄い平面状のため上下左右の特に斜め方向からの視線を遮ることが立体的に突出する遮蔽物を設けたものに比べて難しく、添着層の面積を広く設定すれば通気性と採光性が悪くなってしまう）と考えられる。そこで上記の効果をさらに高め、且つ外力に対し高強度の通気体を実現する課題がある。
【０００６】
建造物外部の面に遮蔽部付きの網戸を設置する場合はルーバー及び暖簾等を用いた建具の実施例では、網体の他にルーバー又は暖簾が必要であり、その網戸の設置面積に合わった縦横の長さに切断し、さらに取付部品も追加して組み合わせるものがほとんどであり、構造が複雑であるばかりか、部品点数が多いため高価になっている。また、個人が複数の遮蔽部材間の間隔を等間隔等に規則性を保って遮蔽部材を装着することは難しく位置ズレが発生してしまうことがある。そこで、安価であって同様の機能を有し、さらに装着を容易にし美観の優れる通気体を実現する課題がある。
【０００７】
一方、建造物開口部の支持部材間あるいは枠、戸の規格違いや、建造物の歪等に起因する場合も含め様々な大きさの設置場所に合わせることができ、さらに、新規の製品にのみ装着可能なものでなく既存の設備にも柔軟に対応し、できれば同じ装着方法にて施工できる通気体を実現する課題がある。
【０００８】
また、輸送費を抑えるため梱包サイズ小さくできる通気体（網体）を実現すること。さらに、部材の無駄を減らすことを実現する課題がある。
【０００９】
また、通気体（網体）に様々な色や模様を設けることや、透過する部材を組み合わせて使用することにより、様々な意匠や採光に対応できる通気体を実現する課題がある。
【課題を解決するための手段】
【００１０】
ここで、遮蔽部材付き通気部材とは、建造物開口部に用い、換気や、調湿、調温、日光の当たりすぎ防止、防虫、防塵、防犯、防水、防風、遮熱、夜間の外部への遮光、窓ガラスの屋内側の結露防止、プライバシーの保護などの、単一あるいは複数の目的に使われるものであり、遮蔽部材（各種の色、柄、透明度を選択できる）と通気部材（網状、微細孔付きシート状）を一体的に形成したものである。
【００１１】
本発明は、請求項１として、建造物開口部に張設した、網体または孔付きシートからなる通気部材（１）に覆体（３）を取り付けてなる遮蔽部付き通気部材であって、前記通気部材（１）はその表面または裏面に丸形断面または異形断面からなる長棒状部材で形成した取付部（６）を有する遮蔽部材（２）を通気部材（１）と一体的に接合部（５）で接合して、縦方向または横方向に所定間隔あけて複数設けてあるとともに、通気部材（１）はリール（２７）に対して巻き込みまたは巻き戻し可能であり、巻き戻した状態の通気部材（１）にあるいは建造物開口部に通気部材（１）を張設した状態で、前記遮蔽部材（２）の取付部（６）に付帯部品となる覆体（３）を着脱可能に嵌合してあることを特徴とする遮蔽部付き通気体とする。また、通気部材は建造物開口部の左右縦支持部材間または、上下横支持部材間あるいは、上下枠材と左右枠材とで枠組された枠体もしくは、建造物開口部に張設して通気する通気する部材にあって、通気部材（１）の表面又は裏面から、丸形断面又は異形断面を有し平面方向に延伸する長棒状部材又は丸形断面又は異形断面を有し垂直方向に突出する凸状部材を有する遮蔽部材（２）を縦方向又は横方向に所定間隔にて備え、遮蔽部材（２）は遮体部（１７）と、断面外周に通気部材（１）とをつなげる接合部（５）とを有し、遮体部（１７）は異物侵入防止、遮熱及び遮光機能を有する部分であり、接合部（５）は通気部材（１）と遮蔽部材（２）とを接する部分であり、通気部材（１）と遮蔽部材（２）とを接合部（５）にて一体的に形成する。さらに説明すれば（ネット状）通気部材は、合成樹脂や金属等の板状材に貫通孔を設ける（打ち抜き等）や、織物、編物（平織り等）に代表される通気性がある網材や、花粉侵入防止シート等が有り、その通気部材（網材）に接着、（熱）溶着、溶接、圧着、刺着、カシメ、嵌着、縫着、係合、縛合、金型樹脂成型（射出成形又は真空成形の場合も有る）の公知の技術等にて遮蔽部材を取り付けられる場合が有り、また、シート状の無通気フイルムにスリットや加熱（射出成形又は真空成形の場合も有る）する金型を使用して、表面又は裏面に複数の凹部又は凸部を形成する遮蔽部材を設け、さらに害虫の入らない程度（２ｍｍ程度以下）の通気口を設けられる場合があり、どちらの場合においてもロール状に巻き込んで連続的に金型成形加工にて生産することが可能である。（公知の技術なので図示せず）また、（ネット状）通気部材は通常量産されている強度のものであっても遮蔽部材に金属や、各種ファイバー（高強度の芯材を用いた複合材を使用しても良い）等を使用することで強度が上げることができるため防犯に寄与する設定も可能である。なお、遮蔽部材付き通気部材の建造物開口部への装着方法は対象材に当接させて押さえ板とネジによる固定や、磁石や、粘着テープや、クリップや、その他公知の組み合わせにて対応可能である。なお、遮蔽部材は直線だけでなく曲線にすることや、縦方向と横方向を組み合わせて例えば格子状にする場合もある。なお、遮体部を通気部材面より外面側に凸部を形成することで異物との接触による破損から通気部材を守ることや、異物侵入防止をする働きがあり、この凸部は１ｍｍ以下であっても無いものと比べると強度が大幅に増大すると共にプライバシーの保護の観点では、特に遮蔽部材を縦方向に並べた場合は左右の斜め方向からの、遮蔽部材を横方向に並べた場合は上下の斜め方向からの視線を遮る効果が増大する。なお、普及タイプの網戸の一部にみられる、枠体に設けられた網材押さえ用溝に通気部材を弾性チューブにて押し込み固定する場合はその押さえ溝の幅と深さが８ｍｍ以下のものが多く存在しているため遮蔽部材の凸部の凸出量は３ｍｍ以下（少なくても押さえ溝の幅と深さの半分以下）にすると固着が容易となる。また、遮体部の大きさと、不透明、（半）透明、及び色により透光量の各種設定をすることにより遮熱及び遮光をする働きがある。これにより夏場等に屋内に太陽光が入り眩しすぎるまたは、室温が上昇することを抑える働きがある。
【００１２】
本発明は、請求項２として建造物開口部に張設した、網体または孔付きシートからなる通気部材（１）に覆体（３）を取り付けてなる遮蔽部付き通気部材であって、前記通気部材（１）は縦横の各方向に所定間隔で、通気部材（１）の表裏を通る異形断面を有し垂直方向に突出する凸状部材である複数の雄係合部（７）または該雄係合部（７）と嵌着する雌係合部（８）のどちらか一方を固着してあり、前記覆体（３）には該雄係合部（７）または雌係合部（８）の内他方を設けてあるとともに、通気部材（１）はリール（２７）に対して巻き込みまたは巻き戻し可能であり、巻き戻した状態の通気部材（１）にあるいは建造物開口部に通気部材（１）を張設した状態で、前記通気部材（１）または前記覆体（３）の一方に設けた雄係合部（７）と他方に設けた雌係合部（８）を嵌着して、付帯部品となる覆体（３）を着脱可能に取り付けてあることを特徴とする遮蔽部付き通気体とする。また、遮蔽部材（２）は遮体部（１７）と他の覆体（３）に設けられた係止に対応する取付部（６）を有し、遮体部（１７）は異物侵入防止、遮熱及び遮光機能を有する部分であり、取付部（６）は他の付帯部品となる覆体（３）に設けられた係止に対応する雌又は雄の接合にて一対に接合する部分であり、覆体（３）は遮蔽部材（２）の取付部（６）と一対にて嵌着し、姿勢保持して係止する係止部（１８）を有し、接合部（５）は通気部材（１）と遮蔽部材（２）とを接する部分であり、通気部材（１）と遮蔽部材（２）とを接合部（５）にて一体的に形成する場合もある。さらに説明すれば覆体は、遮蔽部材の遮体部と同様に、大きさ、不透明、（半）透明、及び色や模様により透光量設定をすることにより遮熱及び遮光をする働きを設定できるものであり遮蔽部材付き通気部材とは別部品であるため、一体的に形成するよりも製造方法の自由度があるため、形状もルーバー状又は、暖簾状以外にも立体像や、動植物の模造や、各種マークなど意匠性に優れた様々な造形を形成可能である。また、遮蔽部材に設けられる接合部は他の覆体に設けられた係止部に一対にて対応するものであれば、雌又は雄はどちらに設定しても良い。また、係止方法は所定の間隔を連続して設けた場合は、ポイント的となる穴と軸による組み合わせ（衣類のプッシュ式ボタンと類似の雌と雄の組み合わせなど）にて押し込み圧入にて係止する場合と、断面の入り口が狭く奥が広い形状を有する接合部と他の覆体に設けられた係止部に（一対にての場合もある）対応する一方の断面の凸部と他方の断面の凹部（ガイド溝）を添わせて挿入する方向にスライドして組み合わせて係止する場合がある。さらに、固定を強くすることを希望する場合は接着剤を併用してもよい。また、所定の長手方向の長さを設定する場合もあり、この場合の長手方向の長さは必ずしも同一にしなくても差をつけることも有り、端部にて覆体のみを長く設定して遮蔽部が外観から見えにくくする場合もあり、この場合は外見をすっきりできる。また、覆体は遮蔽部よりも大きくすることで通気部材から表面側または裏面側に、突出又は隆起する傾斜面を同時成形する等の様に一体的に設けるものより、突出高さを低くできるため（金型又は製品）製作を容易（安価）にでき、さらにロール状に巻いた場合も同じ外径でも傾斜面を同時成形するものより巻き数量を増加できる。
【００１３】
本発明は、請求項３として請求項１記載の遮蔽部材（２）あるいは請求項２記載の凸状部材と通気部材（１）との接合が、カシメ、溶着、溶接、圧着、縫着、縛合のいずれかで行われることを特徴とする請求項１または２記載の遮蔽部付き通気体とする。また、遮体部（１７）が、通気部材（１）から表面側または裏面側に突出又は隆起する傾斜面（４）を有する場合もあり、さらに説明すれば、（ネット状）通気部材から表面側または裏面側に、突出又は隆起する傾斜面がルーバーの機能を有するため傾斜角度と大きさと色、柄設定によって日光の当たりすぎ防止、防塵、防水、防風、遮熱、プライバシーの保護を加味した設定をすることができる。特に、傾斜面の下部に雨水がかかりにくくなるため普及している通気網に見られる水の表面張力にて網目が塞がって通気性が減少することを抑えることができる。
【００１４】
本発明は、請求項４として前記建造物開口部には上下枠材と左右枠材とで枠組みされた枠体が設置され、該枠体は網材押さえ用溝部を備えており、前記通気部材（１）と遮蔽部材（２）の縁部を網材押さえによって網材押さえ用溝部に押し込み固定して枠体に通気部材（１）を張設したことを特徴とする請求項１または２記載の遮蔽部付き通気体を用いた建具とする。また、通気部材（１）と遮蔽部材（２）が、折り曲げても破損しない弾性を有すること又は、刃物にて切断することが可能である場合もあり、さらに説明すれば、弾性を有することにより外周のエッジ部等に触れて怪我をする危険性を減らすことができる。また、従来より使用されている網戸において普及している網材の装着方法例として弾性を有す（チューブ材など）網材押さえによる網材固定方法においては、遮蔽部材の厚み（もしくは径）と固定に使用する網材押さえの断面の太さを考慮して、枠体の網材押さえ用の嵌溝に適正な押し込み具合となる太さの組み合わせを選択することで通常の作業内容にて装着することができる。また、切断に使用する刃物は普及しているハサミやカッター等でも切断できる程度にすれば特別な専用工具が必要なく経済的である。
【００１５】
また、さらに説明すれば、接合部（５）の面積を多くとれば接合強度を上げることができるが、実際の使用に耐えられる強度があれば適正な接合面積と適正な所定間隔の設定にて接合部面積を減らすことで、各種の接合にかかるコスト（接合時間、接着剤）を抑えることが可能となる他に、各々の接合部（５）と他の接合部（５）間にて刃物等で切断することが可能となるため設置場所の長さに合わせて長手方向を切断する作業において、通気部材を傷めにくくできる。また、接合部（５）間の非固着部にて通気部材と遮蔽部材の間に覆体の一部を挿入して覆体を付帯することもできる。
【００１６】
また、本発明は各々の遮蔽部材（２）と通気部材（１）とを分離する際に、通気部材に損傷を与えないこと又は設定強度以上を保って分離することが可能である接合力を接合部（５）が有する場合もあり、さらに説明すれば従来より使用されている枠、戸等に用いられる通気体と同様の固定方法に合わせる、特に網戸において普及している弾性を有す網材押さえによる網材固定方法等と同様な固定方法を望む場合に、固定部に該当する部分の遮蔽部材が邪魔になってしまう場合があるが、邪魔な部分の遮蔽部材を脱去するための方法として、遮蔽部材の必要部分と不要部分の境を刃物で遮蔽部材を傷つない様に切断し、分離する際に不要部分をペンチ等のはさむ工具にてつかみ、脱去方向にはがす方法がある。なお、通気部材の強度を保って分離することが可能である接合力に設定する必要が有るが、接合力の調整は、接着による場合は接着剤の長さ単位当たりの使用量と使用面積当たりの使用量や、接着原材質の変更によって対応可能である。また、通気部材を金属（ステンレスや、アルミ合金）や、芯材を有す高強度の複合合成樹脂等とし、遮体部材をゴムや、シリコンやその他樹脂などの脆弱な設定にする場合は素材の強度に大きな差が有るので一体化された遮蔽部材付き通気部材から遮体部材を引っ張る又はちぎり取ることが容易にできる。また、遮蔽部材と網線（通気部材）との接合する接合部（５）が網線の周囲を充填した場合に遮蔽部材の材質と網線の材質の相性にて接着できない設定にすることで分離が容易になるばかりか脱去跡も無くすことも容易となる。なお、接着の相性が良い材質どうしの場合はメッキやコーティングなどの表面処理を施して接着の相性を悪くしても良い。また、接合部の肉厚を増減することでも接合強度が変化するので接合力の調整が可能である。
【００１７】
また、本発明は製造後あるいは輸送時に巻き込む又は、供給時に巻き戻す場合もあり、さらに説明すれば通気部材と合成樹脂とのインサート成形の場合は通気部材の供給側と排出側のテンションを与え合成樹脂とのインサート成形後に次のインサート成形部まで所定の送り量にて送り、再度インサート成形を繰り返す製法に適しているため連続生産による巻き込むことが可能である。また、リール又はローラー等に巻き込むことでロール式網戸の網部分に代わるロール式遮蔽部付き通気体に使用することも可能である。
【００１８】
なお、各部材の材質は木、竹などの天然素材も考えられるが大量生産にはアルミ合金やステンレス合金等の金属、樹脂、セラミック等（透ける材質の場合も有る）をも用いるほうが適している。また、通風材を使用する場合もあり、通風材としては、各種金属、樹脂、多層材などがあり、形態としては網、繊維、織物、多孔シート、多孔板などがある。蒸気を通すが水を通さないなど透過の程度も自由に設定できる。また、好みの色を使用することで内部の色設定を変えることができる。
【００１９】
また、前記遮蔽部材付き通気部材は、風雨などの影響を受けにくい形状が望まれる。特に二階以上の落下の危険がある場所では、はずれ防止具や、ボルト等による固定による落下防止策が望まれる。
【００２０】
また、前記遮蔽部材付き通気部材を設置した際に美観、安全性を高めるなどのために上下および左右や奥行きの各方向の端部に、カバーを設ける場合も有る。
【００２１】
また、遮蔽部材付き通気部材は、建造物開口部の全てばかりでなく部分的に設置する場合も有る。さらに、庇の有無およびプライバシー保護の観点等により必要な部位にのみ設置する場合もある。
また、各部材は、耐候性、防汚、防錆、防腐、抗菌作用の有る材料が好ましい。
【００２２】
また、複数の遮蔽部材を通気部材と一体的に形成することにより、建造物開口部に他の部材（ルーバー又は暖簾等）を用意する必要が無くなり、製造時に幾何学的に設定された意匠等を保って設置でき、ねじれや、ゆがみを少なく施工することができる。また、通気部材に複数の遮蔽部材を組み合わせることで、通気体（網体）の引っ張り強度及び外力の接触による耐破損力を上げることができる。
【発明の効果】
【００２３】
また、従来のルーバー及び暖簾等を用いた実施例では、網体の他にルーバー又は暖簾等とが必要であり、その網戸の設置面積に合わった縦横の長さに切断してさらに取付部品にて組み合わせるものであり構造が複雑であるばかりか、部品点数が多いため高価になってしまうが、この発明の場合は、極めて構造が簡単であり、（取付）部品点数も少なくでき、さらに作業工賃を抑えることができ、また部品点数が少なく軽いため従来の網戸等の設備に付帯させても新たに補強をしなくても良い場合も多く安価に設置できる。
【００２４】
また、遮蔽部付き通気体をロール状に巻き込む場合は、梱包サイズを小さくでき輸送費を抑えること及び、必要面積のみを（切り売り）使用することにより部材の無駄を減らすことでも安価に提供することができる。
【００２５】
また、様々な大きさの設置場所に合わせて必要面積を切り取って現在使用している網戸に取り付ける等の場合も、現在普及している網材の固定方法と同様に、枠体の網材押さえ用の嵌溝に弾性を有す（チューブ）網材押さえを押し込む網材固定方法と同様な固定方法も可能であるため、慣れている作業である上、（チューブ）網材押さえは汎用品を利用することで安価に設置できる点で優れている。また、固定部に該当する部分の遮体部材が邪魔になってしまう場合では、遮体部材の必要部分と不要部分の境を刃物で通気部材を傷つけずに切断し、離する際に不要部分をペンチ等のはさむ工具にてつかみ脱去方向にはがす方法を適応すれば従来と同じ（チューブ）網材押さえを利用できる場合がある点で優れている。
【００２６】
また、遮蔽部材に他の覆体を取り付けできるものとする場合は、覆体は遮体部よりも大きくすることで通気部材から表面側または裏面側に、ルーバー状又は、暖簾状の遮体部を設けるものより、突出高さを低くできるため製作を容易（安価）にできる点で優れている。また、覆体が別の構成部品となるので、所望する形態に適した製法を選択する自由度が高くなるため立体像や、動植物の模造や、各種マークなど多種多様の意匠性に優れた外観に対応しやすい点で優れている。
【００２７】
また、取付部又は覆体に弾性を持った凸部にて圧接する圧接用変形部を設け、相互にガタツキのない圧入設定にした場合は、組み立て中に覆体が移動しないため作業性が良くなる上に複数個を規則的に（直列に意匠違いの物を連続して）並べる際に発生するズレも少なくできるためきれいに整列できる。
【００２８】
また、覆体を複数使用する場合は、所定部位のみの覆体の色彩変更や、所定部位のみの着脱をすることも実現でき、破損の場合もその部材のみを交換できるため改修費用を安くできる。また、光を透過できる材質を選ぶことで食事をおいしく感じられる暖色系に設定するまたは、気分を落ち着かすことができる寒色系に変更することも可能となる。また、施工後に使用者の予想に反して採光が暗くなった場合の覆体の色彩変更や、透過率の違う部材への変更（一般にくもりガラスの様に一定の面積を有し、かつ同じ透過率の部材の場合に外部から内部が見える場合があるが、交互に透過率の違う部材を使用する場合は、外部の視線を見えにくくしてもそれなりの外光を多く入れたいといった個々の希望にも対応できることがある）もできる点で優れている。
【実施例１】
【００２９】
図１は、本発明実施時の、一例として遮蔽部材付き通気部材のイメージ形態概要図である。
左図は、遮蔽部付き通気体の巻き込み図である。
巻き込まれた遮蔽部材付き通気部材２１は、通気部材１の表面に丸形断面有し平面方向に延伸する長棒状部材となる遮蔽部材２を横方向に所定の間隔をあけて８本並べた縦タイプの例である。その右図は、リール２７に巻かれた遮蔽部材付き通気部材の巻き込み図である。巻き込まれた遮蔽部材付き通気部材２１は、通気部材１の表面に丸形断面有し平面方向に延伸する長棒状部材となる遮蔽部材２を横方向に所定の間隔をあけて５本並べた横タイプの例である。また、小さい円内を大きい円内に拡大した図では通気部材である網材２３に、接合部５にて固着された遮体部１７を有す遮蔽部材を示している。なお、通気部材１の表面に（丸形断面又は異形断面を有し平面方向に延伸する長棒状部材となる）遮蔽部材２を固着する方法として、冷め切っていない又は硬化時間に達していないことにより完全に固形化していない合成樹脂を通気部材１の表面に接面させ（自重の場合もある）加圧して接合部５にて溶着させる方法がある。または、通気部材１の表面に（丸形断面又は異形断面を有し平面方向に延伸する長棒状部材となる）遮蔽部材２を固着する方法として固形化した長棒状部材を接合部５にて接着剤による接着、各種圧着子を使用しての圧着、各種針付き止具を使用しての刺着、潰し加工によるカシメ、凹部と凸部の組み合わせによる嵌着、糸による縫着又は縛合する又は溶接する方法がある。
【実施例２】
【００３０】
図２は、本発明実施例として網戸に遮蔽部材付き通気部材を設置した形態概要図である。
ここで、一般に普及している網戸構成によく見られる固定方法を説明すれば、枠材に設けられた網材押さえ用溝は縦枠と横枠が溝幅と深さ共に同じ設定の場合が多く、貼られる網材も厚みが均一な場合が多いので、弾性を有す網材押さえも同じ径にて網材と共に網材押さえ用溝に押し込まれることが多いが下記に本発明の実施における相違点を示す。
（ａ）は、遮蔽部材付き通気部材を普及網戸の一種に設置した右上の角部分の正面図である。
上記の実施例１の横タイプの設置例であり遮体部１７を屋外に向けた遮蔽部材付き通気部材（網材）を枠組された枠材１２に網材押さえ２２Ａ、２２Ｂによって張られた図である。遮蔽部材付き通気部材は、通気部材のみの厚み部分と、通気部材と遮蔽部材の厚みを合わせた部分があるので通気部材のみの厚み部分は太い網材押さえ２２Ａにて網材押さえ用溝に押し込み固定し、通気部材と遮蔽部材の厚みを合わせ重なる部位にあたる押し込み部１９は細い網材押さえ２２Ｂにてそれぞれ固定していることを示す図である。
（ｂ）は、（ａ）の側断面概要図である。
通気部材である網材２３を枠材１２の枠材に設けられた網材押さえ用溝に網材押さえ２２Ａと共に押し込み固定して張られたことを示し、これは通気部材１と遮蔽部材２が、折り曲げても破損しない弾性を有することによって可能となる実施図である。
これに示す一般に普及している網戸構成と同様の固定方法の場合はほぼ通常の網材張替えと同様の方法で遮蔽部材付き通気部材を設置することが可能となる。
【実施例３】
【００３１】
図３は、本発明実施例として遮蔽部材付き通気部材に覆体を設置した形態概要図である。
（ａ）は、上記の実施例２の遮蔽部材付き通気部材に覆体を各々設置する正面図である。
上記の実施例２の遮蔽部材２の遮体部１７より大きな遮体となる覆体３を手前に付帯させることを示す図である。
（ｂ）は、上記の実施例２の遮蔽部材付き通気部材に覆体を設置した側断面概要図である。
最上部以外は遮蔽部材２に屋外側に下がった傾斜面４を有す覆体３を嵌着したことを示し、最上部の遮蔽部材２の接合部５に向かって、丸状の縁切り溝となる（弾性を有す場合も有る）係合部１８有する覆体３を圧入方向３５に嵌めて係止させることを示す図である。また、この例では覆体３を係止させた場合に係合部１８と網材２３の隙間を少なく設定することで覆体３が回転すること抑えて姿勢保持している。
なお、図中には明記されていないが覆体３は押し出し成型にて同一断面を保って長手方向に長く連続生産することが可能であり、必要な長さを切断して使用する。また、必要な長さを複数のピース部材に分けて直列させて合計長さにて必要長さとすることも可能で有り、各々が嵌めて係止させることができれば色、柄、形状などが違ったものでも構成することも可能である。なお、遮蔽部材２に覆体３を嵌めて係止させる手順は、遮蔽部材付き通気部材を枠体に設置する前後のどちらでも良く作業者が容易な方を選ぶことができる。
【実施例４】
【００３２】
図４は、本発明実施例として網戸に遮蔽部材付き通気部材を設置した形態概要図である。
（ａ）は、遮蔽部材付き通気部材を普及網戸の一種に設置した右上の角部分の正面図である。
上記の実施例１の横タイプの発展例であり、遮体部を大きく屋外に向けた傾斜面４を手前に突出させることを示す図である。
遮蔽部材付き通気部材２１を枠組された枠材１２に網材押さえ２２Ａ、２２Ｂによって押し込まれて張られた図である。遮蔽部材付き通気部材は、通気部材のみの厚み部分と、通気部材と遮蔽部材の厚みを合わせた部分があるので通気部材のみの厚み部分は太い網材押さえ２２Ａにて、網材押さえ用溝に押し込み固定し、通気部材と遮蔽部材の厚みを合わせた部分は細い網材押さえ２２Ｂにて押し込み固定していることを示す図である。なお、この例では縦方向の網線１３のみにて遮蔽部材付き通気部材を構成しているが射出成型にて生産する場合に縦方向の網線のみに位置決めすることで金型の製作を簡単にすることができる場合がある。
（ｂ）は、（ａ）の側断面概要図である。
遮蔽部材付き通気部材２１を枠材１２の枠材に設けられた網材押さえ用溝に網材押さえ２２Ａと共に押し込み固定して張られたことを示し、これは通気部材と遮蔽部材が、折り曲げても破損しない弾性を有することによって可能となる実施図である。
これに示す一般に普及している網戸構成と同様の固定方法の場合はほぼ通常の網材張替えと同様の方法で遮蔽部材付き通気部材を設置することが可能となる。
なお、最上部に当たった遮体部は、切断部１４にて切断して脱去部２５を脱去することで接合部５のみを残すこととなり、網材押さえ用溝に網材押さえ２２Ａと共に押し込み固定することが容易となる例である。
（ｃ）は、（ａ）の下面図である。
（ａ）の押し込み部にて、網材押さえ２２Ｂを押し込み固定されることにより、遮体部１７が網材押さえ用溝に近くなるにつれ低くなっている。
なお、図中には明記されていないが、もう一方の端部も同様な形態となる。
【実施例５】
【００３３】
図５は、本発明実施例として網戸に遮蔽部材付き通気部材を設置した形態概要図である。
（ａ）は、遮蔽部材付き通気部材を普及網戸の一種に装着した右上の角部分の正面図である。
上記の実施例１の横タイプの変形例であり遮体部を大きく屋外に向けた傾斜面４を手前に突出させることを示す図である。屋外に向けた遮蔽部材付き通気部材（網材２３）を枠組された枠材１２に網材押さえ２２Ａによって張られた図である。遮蔽部材付き通気部材は、通気部材のみの厚み部分にて、網材押さえ用溝に押し込み固定していることを示す図である。これは遮蔽部材２を切断部１４にて切断して脱去することで押し込み固定する部分の遮蔽部材２を無くすこととなり従来と同様な固定方法にて装着している。また、各々の遮蔽部材２と通気部材である網材２３とつながる接合部５が少なくても２箇所以上有した例であり、接合部５は所定の間隔をあけてスポット的に固着しているが、設定強度が十分であればコストを下げることに貢献する場合もある。また、切断部１４は接合部５を避けることで切断が容易にできる。なお、切断に使用する刃物は普及しているハサミやカッター等でも切断できる程度にすれば特別な専用工具が必要なく経済的である。
（ｂ）は、（ａ）の側断面概要図である。
通気部材である網材２３を枠材１２の枠材に設けられた網材押さえ用溝に網材押さえ２２Ａと共に押し込み固定して張られたことを示し、これは通気部材１が、折り曲げても破損しない弾性を有することによって可能となる実施図である。また、遮蔽部材２は、屋外側に下がった傾斜面４と接合部５を有する貼合面１０とが鈍角にて曲がった断面を有している。これに示すとおり通常の網材張替えと同様の方法で遮蔽部材付き通気部材を設置することが可能となる。
【実施例６】
【００３４】
図６は、本発明実施時の、一例として遮蔽部材２と通気部材である網線１３と接合部５を示す形態概要図である。
（ａ）は遮蔽部材と網線と接合部の上面図である。
遮蔽部材２の右端部に接合部５が有り網線１３と遮蔽部材２が右端に同一面にて固着されており同一面にて固着することで遮蔽部材２と網線１３とを分離する際は、双方の分離によるダメージを減らすことができ、通気部材に損傷を与えないこと又は設定強度以上を保って分離することが可能である接合力を接合部５に設定することが可能となる。また右端面より網線１３が出る設定にする又は、接合部５の網線１３方向の厚みを減らすことでさらに接合力を弱めることが可能となる。
（ｂ）は、（ａ）の下面図である。
遮蔽部材の遮体部１７は屋外方向に下がる傾斜面４と右端部の接合部５にて網線１３と固着されており、下方に所定の間隔をあけて同様の形態に連鎖した例である。
【実施例７】
【００３５】
図７は、本発明実施例として網戸に遮蔽部材付き通気部材を設置した形態概要図である。
（ａ）は、遮蔽部材付き通気部材を普及網戸の一種に設置した右上の角部分の正面図である。
遮蔽部材付き通気部材が網面２０の縦横の各方向に所定間隔にて網材２３の表裏を通る異形断面を有し垂直方向に突出する凸状部材である複数の雄係合部７を射出成型等によって固着した例であり、手前側に傾斜面４を有す覆体３は横長に所定の長さにて上下に複数並べることを示している。
（ｂ）は、（ａ）の側断面概要図である。
通気部材である網材２３を枠材１２の枠材に設けられた網材押さえ用溝に網材押さえ２２Ａと共に押し込み固定して張られたことを示し、これは通気部材１が、折り曲げても破損しない弾性を有することによって可能となる実施図である。
また、雄係合部７は、屋外側に多く凸状部が出た状態にて固着している。
この例では覆体３は、屋外側に下がった傾斜面４から鈍角にて鉛直方向に上を向いた面を有しているがこの面に雌係合部を設けており図８にて説明する。
【実施例８】
【００３６】
図８は、本発明実施例であり図７の一部を拡大した図である。
（ａ）は、覆体を遮蔽部材付き通気部材に装着前図である。
雄係合部７は、屋外側に多く凸状部が出た状態にて、遮蔽部材付き通気部材の網材２３と固着している。覆体３は、屋外側に下がった傾斜面４から鈍角にて鉛直方向に上を向いた面を有しているがこの面に雌係合部８を設けており、雌係合部８は雄係合部７の軸径よりも小さな穴径に設定してあるため圧入方向３５にて圧入固着できることを示している。
また、雄係合部７は先端に先が細くなる導入さそいを有し、挿入が軽い力で済むように形成され且つ、軸中央部に肉ヌスミ２４となる空間があり肉ヌスミ２４拡縮することで弾性を高めている。
（ｂ）は、（ａ）の装着後図である。
覆体３の雌係合部８は雄係合部７の根元まで嵌め合わされ取付部６付近にて網材２３（遮蔽部付き通気体）と固着されている。この状態は屋外方向より雨水３３が降った場合に覆体３に当たり傾斜面４の最下部にしずく３４となり溜まりさらに下方に落下していく。これにより雨水の屋内への浸入を抑えることができる。
（ｃ）は、雌係合部と雄係合部の参考図である。
各種の係合する組み合わせに示すように圧接用変形部３２にて絞まる嵌めあいにて固着できる例である。
【実施例９】
【００３７】
図９は、本発明実施例として遮蔽部材と通気部材とを分離する概要図である。
（ａ）は、遮蔽部材付き通気部材の遮蔽部材と通気部材とを分離する正面図である。
通気部材である網面２０に遮蔽部材２が上下に２本並べられているが下方の遮蔽部材２の一部を分離する例であり、一体化された遮蔽部材付き通気部材の構成部材である遮蔽部材２の遮体部１７の方向から切断部１４にて切れ目を入れる例である。なお、切れ目は網面２０に触れなくすることで網材に損傷を与えることを防げる。また、切断に使用する刃物は普及しているハサミやカッター等でも切断できる程度にすれば特別な専用工具が必要なく経済的である。
（ｂ）は、（ａ）の分離する概要を示す脱去参考正面図である。
（ａ）の切断部１４の切れ目を境に不要部である右側をペンチ等のはさむ工具にてつかみ、脱去方向１５にはがす方法がある。なお、通気部材の強度を保って分離することが可能である接合力に設定する必要が有る。
（ｃ）は、（ａ）の分離後の概要を示す脱去正面図である。
一体化された遮蔽部材付き通気部材の構成部材である遮蔽部材を分離した後に脱去跡１６が残ることがあるが、この脱去跡はなるべく目立たなくすることが美観に優れるため望まれる。
【実施例１０】
【００３８】
図１０は、本発明実施例として遮蔽部材と通気部材とを分離する概要図である。
（ａ）は、遮蔽部材付き通気部材を普及網戸の一種に設置した右上の角部分の正面図である。
遮蔽部材２の遮体部が、通気部材１から手前側突出する傾斜面４を有することを示しており通気部材と接する接合部５があり長手方向の所定間隔にのみ固着しているものであり、遮蔽部材２が上下に２本並べられているが、下方の遮蔽部材２の一部を分離する例であり一体化された遮蔽部材付き通気部材の構成部材である遮蔽部材２の所定間隔にのみ固着している接合部５をはずした部位に切断部１４を設定し切断する。（ハサミやカッター等でも切断できる程度すれば特別な専用工具が必要なく経済的である）なお、切断は接合部５をはずした部位に行う理由は、接合部５の固着部を切断するより固着部間の隙間に刃先又は傷防止の薄い金属を挿入してカッター等にて押し切ることが可能となり、通気部材１に触れなくすることが容易となるため、さらに通気部材１に損傷を与えることを防げるからである。
（ｂ）は、（ａ）の分離する概要を示す脱去参考正面図である。
（ｃ）は、（ａ）の側面図である。
この例では通気部材１を通気シートにし液状接着剤を一定の間隔に染み込ませることでも固着できる場合である。
【実施例１１】
【００３９】
図１１は、遮蔽部材付き通気部材の傾斜面を有する場合の製法の一例を示す概要図である。
上下に開かれたプラスチック金型の上方に遮体部１７の形状を設定した空間１１が４箇所設けた例であり空間１１は遮体部１７の傾斜面４に対し成形後に抜けやすくするための勾配を有しているが、これは傾斜面４の角度及び傾斜角２６によって上端部が細く下方が太くなる設定になる様に設定角度９（プラスチック金型の開く面角度）を適正にすることで可能となる。この様な通気部材と合成樹脂とのインサート成形の場合は通気部材の供給側と排出側のテンションを与え合成樹脂とのインサート成形後に次のインサート成形部まで所定の送り量にて送り、再度インサート成形を繰り返す製法に適しているため連続生産による巻き込むことが可能である。また、この図ではゲート、エジェクト、ランナーは記されていないがツ−プレートや、スリ−プレート等の各種金型構造に適応する公知の技術にて適切に設定することが望ましい。
【実施例１２】
【００４０】
図１２は、遮蔽部材付き通気部材の傾斜面を有する場合の形態と製法例を示す概要図である。
（ａ）は、上記の実施例２の横タイプの発展例であり遮体部１７を屋外に向けた遮蔽部材付き通気部材（網材２３）を枠組された枠材１２に張られた図である。遮体部１７は、通気部材である網材２３から屋外側突出する傾斜面４を有しており、接合部５は網材２３を通り屋内側にも少し張り出している。
（ｂ）は、（ａ）の形状のインサート成形製法例を示す概要図である。
空間１１によって形成される遮体部１７は成形後に抜けやすくするための勾配を有しているため金型構造は単純であるため金型費は安価であるが、合成樹脂の使用量が多いため重量が重くなる、又はヒケが発生しやくなる欠点がある。
（ｃ）は、上記の実施例３の横タイプの発展例であるが（ａ）と同等の傾斜面４を有したものであるが傾斜面４の裏面に凹みを設けて合成樹脂の使用量を減らすと共に取付部６と嵌め合わせて位置決めできる凹凸を設定してある。この例では上下の遮体部１７の一つおきに覆体３を嵌め合わせる例であるが覆体３のガイド部２９又は係止部１８の圧入の設定にてズレ無い嵌め合わせにすることが望まれる。
（ｄ）は、（ｃ）の形状のインサート成形製法例を示す概要図である。
空間１１によって形成される遮体部１７は成形後に抜けやすくするための勾配を有していないため可動イレコにて成型後に可動して開くことが必要となるので金型構造は複雑であるため金型費は高価であるが、合成樹脂の使用量が少ないため重量が軽くなる、又はヒケが発生しにくくなる利点がある。
【実施例１３】
【００４１】
図１３は、本発明実施例として遮蔽部材付き通気部材に覆体を設置する形態概要図である。
通気部材１に遮蔽部材２が上下に３本並べられているが最下方の遮蔽部材２に覆体３が嵌め合わされており、その上の遮蔽部材２に覆体３を嵌め合わせる例であるが遮蔽部材２の取付部６は入り口より奥が広い溝を長手方向に平行に有しており、覆体３は傾斜面４と傾斜面４からＬ字状に鋭角にて曲がり、その先端に係止部１８を有すものであり、長手方向に所定の長さにて形成されている。なお、覆体３の係止部１８は遮蔽部材２の取付部６の溝形状に対し破損しない程度にて大きくすることで圧入できる設定となっておりスライド方向３１に圧入して嵌め合わせることにより固着できる例である。また、接合部５の入り口より奥が広い溝の隙間にゴミが溜まるまたは、カビが発生することを嫌う場合には他の部位に溝を設ける又は覆体を大きく設定する等によって溝をすべて覆うことを選択することもある。
【実施例１４】
【００４２】
図１４は、本発明実施例として遮蔽部材付き通気部材に覆体を設置する形態概要図である。
（ａ）は、通気部材と遮蔽部材とが固着した遮蔽部材付き通気部材斜視図である。
通気部材１に遮蔽部材２が上下に３本並べられているが各々の遮蔽部材２と通気部材１とつながる接合部５が所定の間隔をあけてスポット的に固着している。
（ｂ）は、（ａ）に覆体を付帯する覆体装着参考図である。
最下の遮蔽部材に１個、その上の遮蔽部材に２個の覆体３を付帯しているが各々の覆体３は遮蔽部材２と通気部材１との取付部６と隣接する取付部間の無固着部に生じる隙間に向けて覆体３の係止部１８を圧入方向３５に挿入する例である。なお、覆体３は傾斜面４と傾斜面４から鉛直状にて曲がり、その先端に係止部１８を有すものであり、長手方向に所定の長さにて形成されており、覆体３の係止部１８は遮蔽部材２の接合部５の隙間を変形して破損しない程度にて圧入できる設定となっている。
【実施例１５】
【００４３】
図１５は、同一種の遮蔽部材付き通気部材に意匠違いの覆体を設置する形態概要図である。
通気部材１に遮蔽部材２が横方向に上下に同一の間隔に３本並べられているが、各々の遮蔽部材２の手前面に遮体部１７から垂直方向に突出する凸状部３６を有し、凸状部３６は縦方向又は横方向に所定間隔にて備えたものであり、係合できる軸を有す雄係合部７とする場合もある。さらに遮体部１７は手前面より根元の通気部材１面側の方が上下幅方向に細くなる段差が設定してある取付部６を有し、接合部５にて通気部材１と固着している。
（ａ）は、遮蔽部材付き通気部材にスライドして覆体を設置する形態概要斜視図である。
各々の遮蔽部材２の遮体部１７は手前面より根元の方が上下幅方向に細くなる取付部６を有しているが、最上とその下に並んだ遮蔽部材２の一方の取付部６と他方の取付部６との間隔と同等幅以下であり、且つ並んだ遮蔽部材２の最短間隔より広い上下方向の幅にて設定される覆体３を上下方向に並んだ遮蔽部材２のそれぞれの取付部６にスライド方向３１にて挿入される固着例である。なお、覆体３は通気できる通気穴３０と傾斜面４にて通気部材１との通気ができる設定になっている。また、覆体３は長手方向に必要な長さに切断して使用する又は、複数個に分割しそれぞれを色違いにすることも可能である。また、係止部１８は取付部６にて設置された状態にてズレない係止する設定又は接着材にて接着する等脱落防止することが望まれる。
（ｂ）は、遮蔽部材付き通気部材に圧入して覆体を設置する形態概要斜視図である。
最下とその上に並んだ遮蔽部材２には覆体３が任意部位にて３個装着された例である。
各々の遮蔽部材２の手前面に遮体部１７から垂直方向に突出する雄係合部７を有し、雄係合部７は縦方向と横方向に所定間隔にて備えたものであり、上下方向に並んだ遮蔽部材２の雄係合部７は一方の遮蔽部材２と他方の遮蔽部材２とが縦横に同一線の延長する位置にて突出しており、最上とその下に並んだ遮蔽部材２に覆体３を装着する例であり、図中の位置に合致する４箇所の雌係合部８を有する覆体３がそれぞれに対応し係止する雄係合部７に向けた圧入方向３５に挿入して覆体３を設置する固着例である。なお、覆体３は通気できる通気穴３０にて通気ができる設定になっている。また、覆体３は個人の希望に合わせて複数個を使用する、又はそれぞれを色違いにすることも可能であり、さらに形状も本図のように板状や、ルーバー状や、暖簾状にする以外にも立体像や、動植物の模造や、各種マークなど意匠性に優れた様々な造形を形成可能である。また、この図では遮体部１７から垂直方向に突出する雄係合部７を有した例であるが、遮体部１７に凹み又は貫通孔を設けて雌係合部とすることも可能であり、その場合は雌係合部に一対にて係止する雄係合部を覆体に設定する場合もある。また、覆体は様々な素材や色や形状もしくは模様の組み合わせが可能であり、且つこのような構成であるため汎用性に富み、戸枠以外の窓枠や窓周囲の壁にも対応することが可能である。
【実施例１６】
【００４４】
図１６は、実施例として普及タイプの網戸に遮蔽部材付き通気部材を装着した概要図である。
左図は、網戸の網に複数の板材を並べ重ね合わせた正面図である。
普及タイプの網戸の枠材１２に網材押さえ樹脂２２Ａによって遮体部を屋外に向けた遮蔽部付き通気体に張られた図であり、小円部を大円にて拡大して示している。
大円内に示すように遮体部１７に傾斜面４を有す遮蔽部材が接合部５にて通気部材である網線１３と固着している。なお、固着に遮蔽部材が邪魔になる場合は接合部５に示すように遮蔽部材と網線１３とが同一面となる様に少しの溶け込み量にて接合しているため遮蔽部材を切断して分離することが可能な接合になる設定にしてある。これに示すとおりに網材押さえ樹脂２２Ａにて固着される部分の全て遮蔽部材を無くす事により通常の網材張替えと同様の方法で遮蔽部材付き通気部材を設置することが可能となる。
【産業上の利用可能性】
【００４５】
建造物の開口部において、本発明の遮蔽部付き通気体を用いることで公知のルーバーの構造や可動方法を組み合わせて多種多様な製品に対応できる。また、リール又はローラー等に巻き込むことでロール式網戸の網部分に代わるロール式遮蔽部付き通気体に使用することも可能である。また、部材には撥水処理または光触媒処理等を施しても良い。
【図面の簡単な説明】
【００４６】
【図１】遮蔽部付き通気体の実施方法を示した説明図である。（実施例１）
【図２】遮蔽部付き通気体の実施方法を示した説明図である。（実施例２）
【図３】遮蔽部付き通気体の実施方法を示した説明図である。（実施例３）
【図４】遮蔽部付き通気体の実施方法を示した説明図である。（実施例４）
【図５】遮蔽部付き通気体の実施方法を示した説明図である。（実施例５）
【図６】遮蔽部付き通気体の実施方法を示した説明図である。（実施例６）
【図７】遮蔽部付き通気体の実施方法を示した説明図である。（実施例７）
【図８】遮蔽部付き通気体の実施方法を示した説明図である。（実施例８）
【図９】遮蔽部付き通気体の実施方法を示した説明図である。（実施例９）
【図１０】遮蔽部付き通気体の実施方法を示した説明図である。（実施例１０）
【図１１】遮蔽部付き通気体の実施方法を示した説明図である。（実施例１１）
【図１２】遮蔽部付き通気体の実施方法を示した説明図である。（実施例１２）
【図１３】遮蔽部付き通気体の実施方法を示した説明図である。（実施例１３）
【図１４】遮蔽部付き通気体の実施方法を示した説明図である。（実施例１４）
【図１５】遮蔽部付き通気体の実施方法を示した説明図である。（実施例１５）
【図１６】遮蔽部付き通気体の実施方法を示した説明図である。（実施例１６）
【符号の説明】
【００４７】
１  通気部材
２  遮蔽部材
３  覆体
４  傾斜面
５  接合部
６  取付部
７  雄係合部
８  雌係合部
９  設定角度
１０  貼合面
１１  空間
１２  枠材
１３  網線
１４  切断部
１５  脱去方向
１６  脱去跡
１７  遮体部
１８  係止部
１９  押し込み部
２０  網面
２１  遮蔽部材付き通気部材
２２Ａ、２２Ｂ  網材押さえ
２３  網材
２４  肉ヌスミ
２５  脱去部
２６  傾斜角
２７  リール
２８  可動イレコ
２９  ガイド部
３０  通気穴
３１  スライド方向
３２  圧接用変形部
３３  雨水
３４  しずく
３５  圧入方向
３６  凸状部
【手続補正３】
【補正対象書類名】図面
【補正対象項目名】全図
【補正方法】変更
【補正の内容】
【図１】
2007254983.tif 000019
【図２】
2007254983.tif 000020
【図３】
2007254983.tif 000021
【図４】
2007254983.tif 000022
【図５】
2007254983.tif 000023
【図６】
2007254983.tif 000024
【図７】
2007254983.tif 000025
【図８】
2007254983.tif 000026
【図９】
2007254983.tif 000027
【図１０】
2007254983.tif 000028
【図１１】
2007254983.tif 000029
【図１２】
2007254983.tif 000030
【図１３】
2007254983.tif 000031
【図１４】
2007254983.tif 000032
【図１５】
2007254983.tif 000033
【図１６】
2007254983.tif 000034